(57)【要約】  【課題】複数枚の羽根が密接し易いように構成されており、しかも、各羽根は、アームに対して、衝撃によって変形させられても破壊されにくいように枢支された、カメラ用フォーカルプレンシャッタのシャッタ羽根を提供すること。  【解決手段】羽根１５〜１７は、略円錐台形をした突き出し部１５ｃ〜１７ｃに設けた孔をアーム１３の孔に重ね、それらの孔にアーム１３側から挿入された連結軸１５ａ〜１７ａの先端に固定され、アーム１３に対して回転可能となっている。そして、各羽根１５〜１７は、突き出し部１５ｃ〜１７ｃの突き出し高さが異なっていて、互いに密接し易くなっている。しかし、突き出し部１５ｃ〜１７ｃは、羽根面からの突き出し角度が、突き出し高さの低い方から順に小さく形成されているので、突き出し高さの高い突き出し部ほど突き出し位置に掛かる応力の集中が緩和され、破壊されにくくなっている。【選択図】  図２
2007232963.tif 000002
【特許請求の範囲】
【請求項１】
夫々の一端を地板に設けられた各々の軸に対して回転可能に取り付けられ他端を自由端としている二つのアームと、前記二つのアームの両方に対してそれらのアームの長さ方向に順に枢支された複数枚の羽根とからなっており、前記アームと前記羽根との各枢支部は、前記羽根に略円錐台形に形成した突き出し部の頂面に設けられた孔と、前記アームに設けられた孔とを重ねておき、それらの孔に、一端に直径の大きな頭部を有している連結軸の先端を前記アーム側から挿入し、前記突き出し部内においてその先端を前記羽根に固定することによって、前記羽根が前記アームに対して回転可能となるように構成されており、しかも、前記突き出し部は、前記自由端から離れた位置に枢支された羽根の突き出し部ほど、羽根面からの突き出し高さが高くなるように形成されているシャッタ羽根であって、前記突き出し部は、前記自由端から離れた位置に枢支された羽根の突き出し部ほど、突き出し角度が小さくなるように形成されていることを特徴とするフォーカルプレンシャッタ用シャッタ羽根。
【請求項２】
前記突き出し部は、前記羽根面からの突き出し位置近傍が、曲面に形成されていることを特徴とする請求項１に記載のフォーカルプレンシャッタ用シャッタ羽根。
【請求項３】
夫々の一端を地板に設けられた各々の軸に対して回転可能に取り付けられ他端を自由端としている二つのアームと、前記二つのアームの両方に対してそれらのアームの長さ方向に順に枢支された複数枚の羽根とからなっており、前記アームと前記羽根との各枢支部は、前記羽根に略円錐台形に形成した突き出し部の頂面に設けられた孔と、前記アームに設けられた孔とを重ねておき、それらの孔に、一端に直径の大きな頭部を有している連結軸の先端を前記アーム側から挿入し、前記突き出し部内においてその先端を前記羽根に固定することによって、前記羽根が前記アームに対して回転可能となるように構成されており、しかも、前記突き出し部は、前記自由端から離れた位置に枢支された羽根の突き出し部ほど、羽根面からの突き出し高さが高くなるように形成されているシャッタ羽根であって、前記突き出し部は、羽根面からの突き出し位置近傍が、曲面に形成されていることを特徴とするフォーカルプレンシャッタ用シャッタ羽根。
【発明の詳細な説明】
【技術分野】
【０００１】
本発明は、カメラ用フォーカルプレンシャッタに一つ又は二つ備えられるシャッタ羽根の構成に関する。
【背景技術】
【０００２】
カメラ用のフォーカルプレンシャッタの中には、二つの地板の間に構成された羽根室に一つのシャッタ羽根を配置したものと、二つの地板を中間板で仕切って二つの羽根室を構成し、それらの羽根室に二つのシャッタ羽根を別々に配置するようにしたものとが知られている。そして、前者のフォーカルプレンシャッタは、デジタルカメラにだけ採用されているが、後者のフォーカルプレンシャッタは、デジタルカメラにも、銀塩フィルムカメラにも採用されている。
【０００３】
また、各々のシャッタ羽根は、一方の地板に対して一端を枢着し他端を自由端とした複数のアームと、それらのアームに枢支された複数枚の羽根とで構成されているのが普通であり、それらの羽根の各枢支部は、羽根に形成された略円錐台形の突き出し部の頂面に設けられた孔と、アームに設けられた孔とを重ねておき、それらの孔に、一端に直径の大きな頭部を有している連結軸の先端をアーム側から挿入し、突き出し部内においてその先端を羽根に固定することによって、羽根がアームに対して回転可能となるように構成されている。
【０００４】
ところで、このように構成されたシャッタ羽根は、各枢支部における連結軸の長さが同じであって、しかも、各羽根に形成された突き出し部の突き出し高さ（突き出し部の底面から頂面までの垂直な距離をいう）が同じであったとすると、アームの自由端側から２番目に枢支された羽根は、その羽根面を１番目の羽根の羽根面に対して好適に密接させることができなくなる。同様にして、３番目以降の羽根も、その隣接する自由端側の羽根と羽根面同士を好適に密接させることができなくなってしまう。そこで、このような問題点を解決する一つの方法として、アームの一番自由端側に枢支される羽根から順に、突き出し部の突き出し高さを高くしていくようにしたものが、下記の特許文献１の第２図に開示されている。
【０００５】
【特許文献１】特公平７−３５３５号公報
【発明の開示】
【発明が解決しようとする課題】
【０００６】
特許文献１の第２図に開示されているシャッタ羽根は、上記のように、アームの一番自由端側に枢支されている羽根から順に、突き出し部の突き出し高さが高くなっていくように構成されているため、隣接する羽根同士の羽根面は、好適に密接することが可能になる。ところが、各羽根面からの突き出し部の突き出し角度は同じになっているため、アームの自由端から離れた位置に枢支されている羽根ほど、突き出し部の突き出し高さが高くなり、羽根が変形させられるとき、その分だけ羽根面からの突き出し位置に、多くの応力が掛かってしまうことになる。そのため、露光走行の終了時において、大きな衝撃によって羽根が変形させられると、その突き出し位置に応力が集中し、羽根が破壊されてしまうことがあるという問題点がある。
【０００７】
本発明は、このような問題点を解決するためになされたものであり、その目的とするところは、アームの一番自由端側に枢支されている羽根から順に、突き出し部の突き出し高さが高くなっていくように構成しても、露光走行の終了時などに発生する大きな衝撃によって羽根が変形させられても、羽根面からの突き出し位置に対する応力集中が緩和され、羽根が破壊されてしまわないようにしたカメラ用フォーカルプレンシャッタのシャッタ羽根を提供することである。
【課題を解決するための手段】
【０００８】
上記の目的を達成するために、本発明のフォーカルプレンシャッタ用シャッタ羽根は、夫々の一端を地板に設けられた各々の軸に対して回転可能に取り付けられ他端を自由端としている二つのアームと、前記二つのアームの両方に対してそれらのアームの長さ方向に順に枢支された複数枚の羽根とからなっており、前記アームと前記羽根との各枢支部は、前記羽根に略円錐台状に形成した突き出し部の頂面に設けられた孔と、前記アームに設けられた孔とを重ねておき、それらの孔に、一端に直径の大きな頭部を有している連結軸の先端を前記アーム側から挿入し、前記突き出し部内においてその先端を前記羽根に固定することによって、前記羽根が前記アームに対して回転可能となるように構成されており、しかも、前記突き出し部は、前記自由端から離れた位置に枢支された羽根の突き出し部ほど、羽根面からの突き出し高さが高くなるように形成されているシャッタ羽根であって、前記突き出し部は、前記自由端から離れた位置に枢支された羽根の突き出し部ほど、突き出し角度が小さくなるように形成する。その場合、前記突き出し部は、前記羽根面からの突き出し位置近傍が、曲面に形成されていると、一層堅牢なシャッタ羽根となる。
【０００９】
また、上記の目的を達成するために、本発明のフォーカルプレンシャッタ用シャッタ羽根は、夫々の一端を地板に設けられた各々の軸に対して回転可能に取り付けられ他端を自由端としている二つのアームと、前記二つのアームの両方に対してそれらのアームの長さ方向に順に枢支された複数枚の羽根とからなっており、前記アームと前記羽根との各枢支部は、前記羽根に略円錐台状に形成した突き出し部の頂面に設けられた孔と、前記アームに設けられた孔とを重ねておき、それらの孔に、一端に直径の大きな頭部を有している連結軸の先端を前記アーム側から挿入し、前記突き出し部内においてその先端を前記羽根に固定することによって、前記羽根が前記アームに対して回転可能となるように構成されており、しかも、前記突き出し部は、前記自由端から離れた位置に枢支された羽根の突き出し部ほど、羽根面からの突き出し高さが高くなるように形成されているシャッタ羽根であって、前記突き出し部は、羽根面からの突き出し位置近傍が、曲面に形成されているようにする。
【発明の効果】
【００１０】
請求項１に係る発明のシャッタ羽根は、アームの一番自由端側に枢支されている羽根から順に、突き出し部の突き出し高さが高くなっていくように構成しても、その突き出し部は、自由端から離れた位置に枢支された羽根ほど、突き出し角度が小さくなるように形成しているから、露光走行の終了時などに発生する大きな衝撃によって、羽根面からの突き出し位置に対する応力集中が緩和され、羽根が破壊されてしまうようなことがない。そして、さらに、羽根面からの突き出し位置近傍を曲面に形成すると、一層応力集中を緩和させることができ、堅牢なシャッタ羽根とすることが可能になる。また、請求項３に係る発明のシャッタ羽根は、アームの一番自由端側に枢支されている羽根から順に、突き出し部の突き出し高さが高くなっていくように構成しても、羽根面からの突き出し位置近傍が曲面となるように形成されているため、突き出し角度を全て同じにしても、曲面となるように形成していない場合に比較して、羽根面からの突き出し位置に対する応力集中が緩和され、羽根が破壊されてしまうようなことがない。
【発明を実施するための最良の形態】
【００１１】
本発明の実施の形態を、図示した三つの実施例によって説明するが、図１〜図５は、実施例１を説明するためのものであり、図６は、実施例２を説明するためのものであり、図７は、実施例３を説明するためのものである。尚、本発明のシャッタ羽根は、先羽根，後羽根などと言われている二つのシャッタ羽根を備えたフォーカルプレンシャッタにも、一つのシャッタ羽根を備えたフォーカルプレンシャッタにも採用することができるものであるが、実施例１は、それらのうちの二つのシャッタ羽根を備えたフォーカルプレンシャッタに採用したものである。また、二つのシャッタ羽根を備えたフォーカルプレンシャッタは、銀塩フィルムカメラにも、デジタルカメラにも採用することができるが、実施例１は、デジタルカメラに採用された場合を前提にして説明する。
【実施例１】
【００１２】
図１〜図５を用いて実施例１を説明するが、図１は、露光作動の終了した直後の状態を撮影レンズ側から見た平面図であり、図２は、本実施例の要部を示す断面図である。また、図３〜図５は、図１と同様にして見た平面図であって、図３は、セット状態（撮影待機状態）を示したものであり、図４は、レリーズ後における露光作動開始直前の状態を示したものであり、図５は、撮影光路用の開口部の全開状態を示したものである。
【００１３】
先ず、図１及び図２を用いて本実施例の構成を説明する。図１に示されているように、シャッタ地板１は、その略中央部に長方形を横長にした撮影光路用の開口部１ａを有している。図１において、一部を破断して示しているように、シャッタ地板１の背面側即ち撮像装置側には、シャッタ地板１と略同じ外形をした補助地板２が配置されており、図示していない手段によってシャッタ地板１に取り付けられている。そして、この補助地板２にも、シャッタ地板１の開口部１ａと重なる位置に、同じ形状の開口部２ａが形成されている。また、シャッタ地板１と補助地板２の間は、シャッタ地板１に取り付けられた中間板３によって仕切られており、シャッタ地板１と中間板３の間に先羽根の羽根室を構成し、補助地板２と中間板３の間に後羽根の羽根室を構成している。そして、この中間板３にも、シャッタ地板１の開口部１ａと重なる位置に、開口部１ａと同じ形状をした開口部３ａが形成されている。
【００１４】
図１において、開口部１ａの左側の領域には、円弧状をした二つの長孔１ｂ，１ｃが形成されており、それらの下方端には、ゴム製であって平面形状がＣ字状をした周知の緩衝部材４，５が取り付けられている。また、シャッタ地板１の撮影レンズ側の面には、軸１ｄ，１ｅ，１ｆが立設されており、羽根室側の面には、軸１ｇ，１ｈ，１ｉ，１ｊが立設されている。そして、それらのうち、軸１ｄと軸１ｇ、及び軸１ｅと軸１ｉは同心となるように配置されている。また、軸１ｄ，１ｅ，１ｆの先端には、周知のように、図示していない支持板が、シャッタ地板１と平行になるようにして取り付けられており、そのシャッタ地板１側には先羽根用電磁石と後羽根用電磁石が取り付けられているが、図１においては、それらの電磁石の鉄芯部材６，７だけを二点鎖線で示してある。
【００１５】
シャッタ地板１の軸１ｄには、合成樹脂製の先羽根用駆動部材８が回転可能に取り付けられていて、図示していない周知の先羽根用駆動ばねによって、時計方向へ回転するように付勢されている。そして、この先羽根用駆動部材８は、被押動部８ａと、駆動ピン８ｂと、取付部８ｃとを有していて、駆動ピン８ｂは、シャッタ地板１の長孔１ｂを貫通して、羽根室内に突き出ている。また、取付部８ｃには、鉄片部材９が取り付けられているが、この鉄片部材９は、特開２００２−５５３７９号公報にも記載されているように、先羽根用電磁石の鉄芯部材６に吸着されるようになっている。また、この鉄片部材９は、取付部８ｃの内部に設けられているばねによって、鉄芯部材６に向けて移動するように付勢されているが、図１においては、その一部である鍔部が取付部８ｃに接触することによって、その移動を抑止されている。
【００１６】
シャッタ地板１の軸１ｅには、合成樹脂製の後羽根用駆動部材１０が回転可能に取り付けられていて、図示していない周知の後羽根用駆動ばねによって、時計方向へ回転するように付勢されている。そして、この後羽根用駆動部材１０は、ローラー１０ａと、駆動ピン１０ｂと、取付部１０ｃとを有していて、駆動ピン１０ｂは、シャッタ地板１の長孔１ｃを貫通して、羽根室内に突き出ている。また、取付部１０ｃは、上記の取付部８ｃに準じた形状をしており、その内部には、後羽根用電磁石の鉄芯部材７に吸着される鉄片部材１１が、図示していないばねを介在させて取り付けられているが、その取付構成は、鉄片部材９の場合と同じである。
【００１７】
シャッタ地板１の軸１ｆには、合成樹脂製のセット部材１２が回転可能に取り付けられている。このセット部材１２は、押動部１２ａ，１２ｂと、被押動部１２ｃとを有していて、押動部１２ａは先羽根用駆動部材８の被押動部８ａを押し、押動部１２ｂは後羽根用駆動部材１０のローラー１０ａを押すようになっている。また、このセット部材１２は、図示していない復帰ばねによって、反時計方向へ回転するように付勢されているが、図１は、その回転を図示していないストッパによって阻止され、初期位置に停止させられている状態を示したものである。
【００１８】
次に、先羽根と後羽根の構成を説明する。先羽根は、上記したように、シャッタ地板１と中間板３との間に配置されており、夫々の一端を軸１ｇ，１ｈに回転可能に取り付けられた２本のアーム１３，１４と、自由端である他端に向けて順に枢支された３枚の羽根１５，１６，１７とで構成されているが、最も自由端側に枢支された羽根１７がスリット形成羽根である。また、周知のように、アーム１３に形成された孔には、先羽根用駆動部材８の駆動ピン８ｂが嵌合している。そして、この先羽根は、図２からも分かるように、アーム１３，１４を一番シャッタ地板１側にし、中間板３側に向けて羽根１７，羽根１６，羽根１５の順となるようにして配置されている。また、図１から分かるように、羽根１５,１６，１７は、長さ方向の一端で、アーム１３，１４の両方に対し、二つづつの連結軸１５ａ,１５ｂ、１６ａ，１６ｂ、１７ａ，１７ｂを介して枢支されているが、その枢支構成の詳細については、後述する。
【００１９】
他方、後羽根は、補助地板２と中間板３の間に配置されており、各々の一端を軸１ｉ，１ｊに対して回転可能に取り付けられた２本のアーム１８，１９と、自由端である他端に向けて順に枢支された３枚の羽根２０，２１，２２で構成され、最も自由端側に枢支された羽根２２がスリット形成羽根となっている。また、アーム１８に形成された孔には、後羽根用駆動部材１０の駆動ピン１０ｂが嵌合している。そして、この後羽根群は、アーム１８，１９を一番補助地板２側にし、中間板３側に向けて羽根２２，羽根２１，羽根２０の順となるようにして配置されている。また、図１から分かるように、羽根２０,２１，２２は、長さ方向の一端で、アーム１８，１９の両方に対し、二つづつの連結軸を介して枢支されているが、それらの連結軸に対する符号は省略されている。
【００２０】
ここで、本実施例のシャッタ羽根の枢支構成を、より詳細に説明するが、本実施例の場合には、先羽根の構成と後羽根の構成は全く同じであって、後羽根は、先羽根を裏返しにして配置しているだけである。従って、重複を避けるために、後羽根の詳細な枢支構成については、説明を省略する。また、先羽根において、アーム１３，１４に対する各羽根ごとの２箇所の枢支構成は同じであるが、３枚の羽根１５，１６，１７の相互間では異なっている。そのため、その異なっている点を明確にするために、図２においては、アーム１３に対する、羽根１５，１６，１７の枢支構成だけを示しているので、以下においては、その図２を用いて説明する。
【００２１】
先ず、アーム１３と羽根１５，１６，１７は、従来と同様に、各羽根１５，１６，１７に形成されている略円錐台形の突き出し部１５ｃ，１６ｃ，１７ｃの頂面に設けられた孔と、アーム１３に設けられた孔とを重ねておき、それらの孔に、直径の大きな頭部を有している連結軸１５ａ，１６ａ，１７ａの先端をアーム１３側から挿入し、突出し部１５ｃ，１６ｃ，１７ｃ内で、それらの先端を、かしめ加工によって、羽根１５，１６，１７に固定し、羽根１５，１６，１７がアーム１３に対して回転可能となるようにしている。そして、連結軸１５ａ，１６ａ，１７ａは、形状も大きさも全く同じであり、共通部品となっている。
【００２２】
そして、図示された３箇所の枢支構成における相違点は、各羽根１５，１６，１７に形成されている略円錐台形をした突き出し部１５ｃ，１６ｃ，１７ｃの形状にある。即ち、各突き出し部１５ｃ，１６ｃ，１７ｃは略円錐台形をしているが、同じなのは、上記の孔を形成した頂面の大きさだけである。突き出し高さは、アーム１３の一番自由端側にある突き出し部１７ｃよりも突き出し部１６ｃの方が、略羽根１枚分の厚さだけ高くなっており、突き出し部１６ｃよりも突き出し部１５ｃの方が、同様にして高くなっている。そのため、羽根１５〜１７は、隣接する羽根同士が、常に好適に密接し得るようになっている。
【００２３】
また、本実施例の独特の構成であるところの、各突き出し部１５ｃ，１６ｃ，１７ｃ間での形状の相違点は、各羽根１５，１６，１７の羽根面からの突き出し位置における突き出し角度θ1，θ2，θ3が、突き出し部１７ｃよりも突き出し部１６ｃの方が小さく、また、突き出し部１６ｃよりも突き出し部１５ｃの方が小さくなっていることである（θ1＜θ2＜θ3）。そのため、上記の突き出し高さの相違と併せ、突き出し位置で形成される円形の直径、即ち円錐台形の底面の直径ｄ1，ｄ2，ｄ3が、突き出し部１７ｃよりも突き出し部１６ｃの方が極端に大きく、また、突き出し部１６ｃよりも突き出し部１５ｃの方がさらに極端に大きくなっている（ｄ1＞ｄ2＞ｄ3）。そのため、アーム１３の自由端から地板１に取り付けられている方に向かって連結軸間の間隔が大きくなっている。
【００２４】
次に、本実施例の作動を説明する。図１は、露光作動の終了直後の状態を示したものである。そのため、この状態において、先羽根の３枚の羽根１５〜１７は、隣接する羽根同士の重なり量を最大にした重畳状態になっており、開口部１ａの下方位置に格納されている。他方、後羽根の３枚の羽根２０〜２２は、隣接する羽根同士の重なり量を最小にした展開状態になっていて、開口部１ａを覆っている。このような状態で撮影が終了すると、セット部材１２が、被押動部１１ｃをカメラ本体側の部材に押され、図示していない復帰ばねの付勢力に抗して時計方向へ回転させられる。
【００２５】
それによって、セット部材１２は、先ず、押動部１２ａが先羽根用駆動部材８の被押動部８ａを押すことによって、図示していない先羽根用駆動ばねの付勢力に抗して、先羽根用駆動部材８を反時計方向へ回転させ始める。そして、その直後には、押動部１２ｂが後羽根用駆動部材１０のローラー１０ａを押すことによって、図示していない後羽根用駆動ばねの付勢力に抗して、後羽根用駆動部材１０を反時計方向へ回転させはじめる。そのため、先羽根の３枚の羽根１５〜１７は、隣接する羽根同士の重なりを小さくしつつ上方へ作動し、後羽根の３枚の羽根２０〜２２は、隣接する羽根同士の重なりを大きくしつつ上方へ作動していく。
【００２６】
そして、先羽根の３枚の羽根１５〜１７が展開状態となって開口部１ａを覆い、後羽根の３枚の羽根２０〜２２が重畳状態となって開口部１ａの上方位置に格納された状態になると、各駆動部材８，１０の鉄片部材９，１１が夫々の電磁石の鉄芯部材６，７に接触し、その直後に、セット部材１２の回転が停止され、セット作動が終了する。図３は、そのセット状態、即ち次の撮影の待機状態を示したものであるが、各駆動部材８，１０は、鉄片部材９，１１が鉄芯部材６，７に接触した後も若干回転させられているので、鉄片部材９，１１は、取付部８ｃ，１０ｃ内に配置されている図示していないばねを圧縮させ、その一部である直径の大きな鍔部が取付部８ｃ，１０ｃから離れている。
【００２７】
次の撮影に際して、レリーズボタンを押すと、先ず、上記の各電磁石に通電される。それにより、各鉄片部材９，１１が鉄芯部材６，７に吸着保持されると、カメラ本体側の部材による被押動部１２ｃに対する押圧力が解かれるので、セット部材１２は、復帰ばねの付勢力によって反時計方向へ回転し、図１に示されいる初期位置へ復帰する。このとき、セット部材１２の押動部１２ａによる、先羽根用駆動部材８の被押動部８ａに対する押圧力と、セット部材１２の押動部１２ｂによる、後羽根用駆動部材１０のローラー１０ａに対する押圧力が解かれるので、各駆動部材８，１０は、図示していない各駆動ばねの付勢力によって若干時計方向へ回転させられるが、それらの回転は、取付部８ｃ，１０ｃが、鉄芯部材６，７に吸着されている鉄片部材９，１１の鍔部に当接することによって停止させられる。図４は、そのときの状態を示したものである。
【００２８】
この状態から、二つの電磁石に対する通電が、露光制御回路によって自動的に決められた時間間隔で順に遮断されると、先羽根用駆動部材８と後羽根用駆動部材１０とは、強力な付勢力を有する図示していない各々の駆動ばねによって、時計方向へ急速に回転させられ、被写界光が強い場合には、先羽根のスリット形成羽根１７と後羽根のスリット形成羽根２２との間に形成されたスリットにより、撮像装置の撮像面を露光していくことになる。しかしなから、以下においては、先羽根が露光作動を開始し、開口部１ａを全開にしてから、後羽根の露光作動が開始する場合で説明する。
【００２９】
先ず、先羽根用電磁石に対する通電が遮断されると、鉄芯部材６による鉄片部材９の保持力が失われ、先羽根用駆動部材８は、図示していない先羽根用駆動ばねの付勢力によって急速に時計方向へ回転させられ、その駆動ピン８ｂによってアーム１３を時計方向へ回転させる。そのため、先羽根の３枚の羽根１５〜１７は、隣接する羽根同士の重なり量を大きくしつつ全体として下方へ作動し、スリット形成羽根１７の上端縁で開口部１ａを開いていく。そして、開口部１ａが全開になると、その直後に、先羽根用駆動部材８の駆動ピン８ｂが、長孔１ｂに取り付けられた緩衝部材４に当接することによって、先羽根の露光作動が終了する。図５は、そのときの状態を示したものである。
【００３０】
ところで、上記のようにして、先羽根用駆動部材８の駆動ピン８ｂが緩衝部材４に当接したとき、その衝撃によって先羽根の構成部材は大きく変形させられる。そして、その変形による応力が、各羽根１５〜１７の突き出し部１５ｃ〜１７ｃの突き出し位置に集中すると、その突き出し位置で破壊されてしまうおそれがある。従来の枢支構成の場合には、突き出し部１５ｃ〜１７ｃの突き出し高さが、突き出し部１７ｃ，突き出し部１６ｃ，突き出し部１５ｃの順に高くなされていたにもかかわらず、それらの突き出し位置における突き出し角度は同じであったため、突き出し部１５ｃ〜１７ｃの突き出し位置に集中する応力は、突き出し部１７ｃ，突き出し部１６ｃ，突き出し部１５ｃの順に大きくなり、突き出し位置での破壊の可能性は、羽根１５の場合が一番大きかった。ところが、本実施例の場合には、突き出し位置における突き出し角度が、突き出し部１７ｃ，突き出し部１６ｃ，突き出し部１５ｃの順に小さくなっているため、突き出し部１５ｃ〜１７ｃの突き出し位置に集中する応力の差が小さくなり、特に羽根１５の突き出し位置での破壊が好適に抑制されることになる。
【００３１】
このようにして、先羽根の露光作動が終了すると、今度は、後羽根用電磁石に対する通電が断たれる。それによって、鉄芯部材７による鉄片部材１１の保持力が失われ、後羽根用駆動部材１０は、図示していない後羽根用駆動ばねの付勢力によって急速に時計方向へ回転させられ、その駆動ピン１０ｂによってアーム１８を時計方向へ回転させる。そのため、後羽根の３枚の羽根２０〜２２は、隣接する羽根同士の重なり量を小さくしつつ全体として下方へ作動し、スリット形成羽根２２の下端縁で開口部１ａを覆っていく。そして、開口部１ａが完全に覆われると、その直後に、後羽根用駆動部材１０の駆動ピン１０ｂが、長孔１ｃに取り付けられた緩衝部材５に当接することによって、後羽根の露光作動が終了する。
【００３２】
このようにして、後羽根用駆動部材１０の駆動ピン１０ｂが緩衝部材５に当接したときにも、その衝撃によって後羽根の構成部材は大きく変形させられる。しかしながら、上記したように、後羽根の枢支構成は、先羽根の枢支構成と同じであるから、羽根２０〜２２に形成された突出し部の突出し位置に集中する応力の差が小さくなるようになっており、特に羽根２０の突出し位置での応力の集中が緩和され、破壊が好適に抑制されることになる。そして、後羽根の露光作動が終了すると、上記の露光によって撮像装置に蓄積されていた撮像情報が記憶装置に転送され、一回の撮影が終了する。図１は、そのときの状態を示したものである。
【実施例２】
【００３３】
図６を用いて実施例２を説明する。本実施例は、実施例１におけるシャッタ羽根の構成を一段と優れたものにしたものである。また、本実施例のシャッタ羽根は、実施例１のシャッタ羽根と同様に、一つのシャッタ羽根を備えたフォーカルプレンシャッタにも、二つのシャッタ羽根を備えたフォーカルプレンシャッタにも採用することが可能であって、後者の場合には、先羽根とすることも、後羽根とすることも可能なものであるが、上記の実施例１では、先羽根の断面図である図２を用いて詳細な説明をしているので、図６に示された本実施例のシャッタ羽根も、先羽根ということにし、図２と同様な断面図で示すと共に、構成部材及び部位には、図２の場合と全く同じ符号を用いている。尚、本実施例のシャッタ羽根を、二つのシャッタ羽根を備えたフォーカルプレンシャッタに採用した場合の全体構成と作動は、実施例１の場合と同じであるため、それらの説明は省略する。
【００３４】
図６から分かるように、本実施例の場合も、３箇所の枢支構成は異なっているが、その相違点は、突き出し部１５ｃ，１６ｃ，１７ｃの形状にある。そして、各突き出し部１５ｃ，１６ｃ，１７ｃは、実施例１の場合と同様に、略円錐台形をしていて、連結軸部１５ｃ，１６ｃ，１７ｃを挿入している孔を形成した頂面の大きさだけは同じであり、突き出し高さは、アーム１３の一番自由端側にある突き出し部１７ｃよりも突き出し部１６ｃの方が、略羽根１枚分の厚さだけ高くなっており、突き出し部１６ｃよりも突き出し部１５ｃの方が、同様にして高くなっている。
【００３５】
本実施例の枢支構成の特徴は、実施例１の場合と同様に、各羽根１５，１６，１７の突き出し角度が、突き出し部１７ｃよりも突き出し部１６ｃの方が小さく、また、突き出し部１６ｃよりも突き出し部１５ｃの方が小さくなっているが、円形状の各々の突き出し位置には角度を付けず、突き出し位置近傍が曲面となるように形成していることである。従って、本実施例の場合には，露光作動の停止時などの衝撃によって羽根１５，１６，１７が大きく変形させられても、突き出し位置近傍に掛かる応力の集中を大きく緩和させることができ、実施例１の枢支構成の場合よりも羽根の破壊が一層抑制されることになる。
【実施例３】
【００３６】
図７を用いて実施例３を説明する。本実施例のシャッタ羽根は、実施例１，２のシャッタ羽根と同様に、一つのシャッタ羽根を備えたフォーカルプレンシャッタにも、二つのシャッタ羽根を備えたフォーカルプレンシャッタにも採用することが可能であって、後者の場合には、先羽根とすることも、後羽根とすることも可能なものである。そこで、図７に示された本実施例のシャッタ羽根の場合も、実施例２の場合と同様に、先羽根ということにし、図２及び図６と同様な断面図で示すと共に、構成部材及び部位には、図２及び図６の場合と全く同じ符号を用いている。尚、本実施例のシャッタ羽根を採用したフォーカルプレンシャッタの全体構成と作動については、説明を省略する。
【００３７】
図７から分かるように、本実施例の場合も、３箇所の枢支構成は異なっているが、その相違点は、突き出し部１５ｃ，１６ｃ，１７ｃの形状にある。そして、各突き出し部１５ｃ，１６ｃ，１７ｃは、上記の各実施例の場合と同様に、略円錐台形をしていて、連結軸部１５ｃ，１６ｃ，１７ｃを挿入している孔を形成した頂面の大きさだけは同じであり、突き出し高さは、アーム１３の一番自由端側にある突き出し部１７ｃよりも突き出し部１６ｃの方が、略羽根１枚分の厚さだけ高くなっており、突き出し部１６ｃよりも突き出し部１５ｃの方が、同様にして高くなっている。
【００３８】
本実施例の枢支構成は、上記の各実施例の場合とは異なり、特許文献１の第２図に示されたシャッタ羽根（以下、従来例という）の枢支構成と同様に、各羽根１５，１６，１７の突き出し角度が同じである。しかしながら、従来例の枢支構成と異なる点は、実施例２の場合と同様に、各々の突き出し部１５ｃ，１６ｃ，１７ｃの突き出し位置には角度を付けず、突き出し位置近傍が曲面となるように形成していることである。このように構成された本実施例の場合にも、羽根１５，１６，１７の変形時において、突き出し位置近傍に掛かる応力の集中を大きく緩和させることができ、従来例の枢支構成の場合より、羽根の破壊が抑制されることになる。
【００３９】
尚、上記の各実施例のシャッタ羽根は、いずれも３枚の羽根を有しているが、本発明は、２枚の羽根を有しているシャッタ羽根にも、４枚以上の羽根を有しているシャッタ羽根にも適用することが可能である。
【図面の簡単な説明】
【００４０】
【図１】露光作動の終了した直後の状態を撮影レンズ側から見た実施例１の平面図である。
【図２】実施例１の要部を示した断面図である。
【図３】図１と同様にして見た実施例１の平面図であって、セット状態（撮影待機状態）を示したものである。
【図４】図１と同様にして見た実施例１の平面図であって、レリーズ後における露光作動開始直前の状態を示したものである。
【図５】図１と同様にして見た実施例１の平面図であって、撮影光路用の開口部の全開状態を示したものである。
【図６】図２と同様にして示した実施例２の断面図である。
【図７】図２と同様にして示した実施例３の断面図である。
【符号の説明】
【００４１】
１                            シャッタ地板
１ａ，２ａ，３ａ              開口部
１ｂ，１ｃ                    長孔
１ｄ，１ｅ，１ｆ，１ｇ，１ｈ，１ｉ，１ｊ  軸
２                            補助地板
３                            中間板
４，５                        緩衝部材
６，７                        鉄芯部材
８                            先羽根用駆動部材
８ａ，１２ｃ                  被押動部
８ｂ，１０ｂ                  駆動ピン
８ｃ，１０ｃ                  取付部
９，１１                      鉄片部材
１０                          後羽根用駆動部材
１０ａ                        ローラー
１２                          セット部材
１２ａ，１２ｂ                押動部
１３，１４，１８，１９        アーム
１５，１６，１７，２０，２１，２２  羽根
１５ａ，１５ｂ，１６ａ，１６ｂ，１７ａ，１７ｂ  連結軸
１５ｃ，１６ｃ，１７ｃ        突き出し部
【図１】
2007232963.tif 000003
【図２】
2007232963.tif 000004
【図３】
2007232963.tif 000005
【図４】
2007232963.tif 000006
【図５】
2007232963.tif 000007
【図６】
2007232963.tif 000008
【図７】
2007232963.tif 000009